(57)【要約】【課題】本発明は、簡易な構造でスピーカの音響特性を向上させるようにする。【解決手段】本発明は、コーン型振動板１１を有するドライバーユニット２と、コーン型振動板１１における周辺部と対向する位置に設けられコーン型振動板１１から発生する音の導出を阻止するためのフランジ状イコライザー２１及びコーン型振動板１１の中心側近傍位置に対向して配置されコーン型振動板１１から発生する音を外部へ導出するホーン５７とからなる音声放出部５３と、コーン型振動板１１から発生する音の一部をホーン５７の外側へ逃がすためフランジ状イコライザー２１に設けられた周辺部音逃し貫通孔６２とを設けるようにする。【選択図】図５
2008193417.tif 000002
【特許請求の範囲】
【請求項１】
コーン型振動板を有するドライバーユニットと、
上記コーン型振動板における周辺部と対向する位置に設けられ上記コーン型振動板から発生する音の導出を阻止するためのフランジ及び上記コーン型振動板の中心側近傍位置に対向して配置され上記コーン型振動板から発生する音を外部へ導出する導出部とからなる音声放出手段と、
上記コーン型振動板から発生する音の一部を上記導出部の外側へ逃がすため上記フランジに設けられた貫通孔と
を具えることを特徴とするスピーカユニット。
【請求項２】
コーン型振動板を有するドライバーユニットと、
上記コーン型振動板における周辺部と対向する位置に設けられ上記コーン型振動板から発生する音の導出を阻止するためのフランジ及び上記コーン型振動板の中心部と対向する位置に配置された柱状突出部を有するイコライザー部と、上記柱状突出部を取り囲むように配置され上記柱状突出部と所定の間隔を保持して上記振動板から発生する音を外部へ導出する導出部とからなる音声放出手段と、
上記コーン型振動板の前方であって、上記コーン型振動板の上記周辺部から発生する音を上記導出部の外側へ逃がすため上記フランジに設けられた貫通孔と
を具えることを特徴とするスピーカユニット。
【請求項３】
上記柱状突出部は、上記コーン型振動板に取り付けられたボイスコイルボビンと対応した位置に配置され、上記柱状突出部の外周形状は上記ボイスコイルボビンの外周形状と略一致している
ことを特徴とする請求項２に記載のスピーカユニット。
【請求項４】
オーディオ信号に応じてコーン型振動板を振動させながら上記オーディオ信号に応じた音を発生させるスピーカユニットが取り付けられたスピーカ装置であって、
上記スピーカユニットは、
上記コーン型振動板を有するドライバーユニットと、
上記コーン型振動板における周辺部と対向する位置に設けられ上記コーン型振動板から発生する音の導出を阻止するためのフランジ及び上記コーン型振動板の中心側近傍位置に対向して配置され上記コーン型振動板から発生する音を外部へ導出する導出部とからなる音声放出手段と、
上記コーン型振動板から発生する音の一部を上記導出部の外側へ逃がすため上記フランジに設けられた貫通孔と
を具えることを特徴とするスピーカ装置。
【請求項５】
オーディオ信号に応じてコーン型振動板を振動させながら上記オーディオ信号に応じた音を発生させるスピーカユニットが取り付けられたスピーカ装置であって、
上記スピーカユニットは、
上記コーン型振動板を有するドライバーユニットと、
上記コーン型振動板における周辺部と対向する位置に設けられ上記コーン型振動板から発生する音の導出を阻止するためのフランジ及び上記コーン型振動板の中心部と対向する位置に配置された柱状突出部を有するイコライザー部と、上記柱状突出部を取り囲むように配置され上記柱状突出部と所定の間隔を保持して上記振動板から発生する音を外部へ導出する導出部とからなる音声放出手段と、
上記コーン型振動板の前方であって、上記コーン型振動板の上記周辺部から発生する音を上記導出部の外側へ逃がすため上記フランジに設けられた貫通孔と
を具えることを特徴とするスピーカ装置。
【発明の詳細な説明】
【技術分野】
【０００１】
本発明は、スピーカユニット及びスピーカ装置に関し、例えばコーン型振動板を用いたコーン型ホーントゥイータに適用して好適なものである。
【背景技術】
【０００２】
従来、図１に示すようにイコライザー付きコーン型ホーントゥイータ１は、大きく分けて、ドライバーユニット２と、ドライバーユニット２から出力された音を効率良く外部へ放出する音声放出部３とから構成されている。
【０００３】
ドライバーユニット２は、その先端が開口された略円錐形状のコーン型振動板１１を有し、そのコーン型振動板１１のエッジを介してフレーム１２に支持される一方、コーン型振動板１１の内側の開口部分がボイスコイル１３の巻回されたボイスコイルボビン１４に固着されている。
【０００４】
コーン型振動板１１は、外周の開口部分を覆うようにコーン型振動板１１の拡開方向へ半球形状のヘッドキャップ１１Ａが突出した状態で取り付けられ、当該コーン型振動板１１の径方向における変形を防止すると共に塵埃等の侵入を防止するようになされている。
【０００５】
このドライバーユニット２では、フレーム１２の下端側に、コーン型振動板１１を前後に振動させるための磁気回路部１５が固定した状態で取り付けられている。
【０００６】
この磁気回路部１５は、中央から円柱形状のポールピース１６Ａが植立された円盤形状のヨーク１６を有し、当該ヨーク１６の上面外周を取り囲むように円環形状のマグネット１７が固着されると共に、そのマグネット１７上に円環形状のプレート１８が積層して固着されている。
【０００７】
ドライバーユニット２は、このプレート１８の上面とフレーム１２の下面とが固定された結果、磁気回路部１５がフレーム１２に取り付けられると、ボイスコイル１３の巻回されたボイスコイルボビン１４をポールピース１６Ａ及びプレート１８間に形成される磁気ギャップ内に非接触状態で取り囲むように保持する。
【０００８】
またドライバーユニット２では、フレーム１２及びボイスコイルボビン１４に取り付けられたダンパー１９によってコーン型振動板１１の内周側の開口部分が支持されており、これによりフレーム１２に対してコーン型振動板１１が前後方向へ可動した際、磁気ギャップ内におけるボイスコイルボビン１４及びボイスコイル１３の非接触状態を保持し得るようになされている。
【０００９】
かくしてドライバーユニット２では、外部からボイスコイル１３に供給されるオーディオ信号に基づく印加電流により磁気回路部１５の磁気ギャップに電磁力が与えられると、当該ボイスコイル１３がマグネット１７と引き合い又は反発することにより、コーン型振動板１１が前後に振動してオーディオ信号に応じた音波を発生させるようになされている。
【００１０】
これに対してイコライザー付きコーン型ホーントゥイータ１の音声放出部３では、コーン型振動板１１のエッジにガスケット２０を介して円環形状でなるフランジ状イコライザー２１が取り付けられると共に、当該フランジ状イコライザー２１に対して先端に向けて開口面積が序々に大きくなる管状のホーン８が取り付けられている。
【００１１】
このホーン８は、その内空部を音道、先端開口部を開口と呼び、他方、基端部の小さな開口部分をスロートと呼び、効率良く音波を空間に放射するためのものであり、コーン型振動板１１と外部の空間とを結ぶ役目を果たし、電気音響的には空気とのマッチング（整合）を図るために用いられている。
【００１２】
また音声放出部３では、コーン型振動板１１の外周部と対向する位置にフランジ状イコライザー２１が取り付けられるだけではなく、コーン型振動板１１の中心部に設けられているヘッドキャップ１１Ａとほぼ対向する位置に、砲弾形状でなる砲弾形状イコライザー３１がフランジ状イコライザー２１に対して例えば３点支持により取り付けられている。
【００１３】
この砲弾形状イコライザー３１は、高周波数帯域における音の波長が短くなる関係で、コーン型振動板１１の中心部から生じる音と、コーン型振動板１１の周辺部から生じる音との位相が揃わなくなり、そのためお互いに干渉し合って音響出力が減少してしまうところを、コーン型振動板１１における所定の同心円周部から生じる音をホーン８へ伝わるように設けられている。
【００１４】
実際上、音声放出部３は、フランジ状イコライザー２１と砲弾形状イコライザー３１との間隔Ｄ１、Ｄ２に応じた開口領域に対応するコーン型振動板１１の同心円周部から主に生じる音をホーン８により外部へ導出するようにしたことにより、主に同位相の音を出力するようになされている。
【００１５】
従ってイコライザー付きコーン型ホーントゥイータ１は、ドライバーユニット２のコーン型振動板１１によって発生させる音を、音声放出部３のフランジ状イコライザー２１及びホーン８を介して効率良く出力させるようになされている。
【００１６】
一方、振動板の中心部から出た音と、振動板の周辺部から出た音とが合成されるとき、中心部の音の位相と、周辺部の音の位相との位相差が発生しないようにするため、位相等化器と称されるイコライザーが振動板の前面に設けられた所謂ドーム型振動板を用いたホーンスピーカがある（例えば、特許文献１参照）。
【特許文献１】特開昭62-111599号公報
【発明の開示】
【発明が解決しようとする課題】
【００１７】
ところでかかる構成のイコライザー付きコーン型ホーントゥイータ１（図１）では、フランジ状イコライザー２１と砲弾形状イコライザー３１との間隔Ｄ１、Ｄ２に応じた開口領域と対応するコーン型振動板１１の同心円周部から主に同位相の音だけをホーン８から外部へ導出するようになされているものの、コーン型振動板１１の周辺部の間隔Ｄ１、Ｄ２に応じた開口領域から生じる同位相でない音によって干渉されるため、図２に示すように、約５０００[Hz]近傍においてコーン型振動板１１から生じる音波の音圧レベルが一時的に大きく低下してしまうという問題があった。
【００１８】
また、特許文献１で示されたドーム型振動板を用いたホーンスピーカにおいては、中心部の音を導出する経路長と、周辺部の音を導出する経路長とを揃え、中心部の音と周辺部の音との間で位相差が発生しないための複数のスリットが形成された複雑な構造のイコライザーが必要となり、金型で形成することが困難であるという問題があった。
【００１９】
本発明は以上の点を考慮してなされたもので、簡易な構造で音響特性の優れたスピーカユニット及びスピーカ装置を提案しようとするものである。
【課題を解決するための手段】
【００２０】
かかる課題を解決するため本発明のスピーカユニット及びスピーカ装置においては、コーン型振動板を有するドライバーユニットと、コーン型振動板における周辺部と対向する位置に設けられコーン型振動板から発生する音の導出を阻止するためのフランジ及びコーン型振動板の中心側近傍位置に対向して配置されコーン型振動板から発生する音を外部へ導出する導出部とからなる音声放出手段と、コーン型振動板から発生する音の一部を導出部の外側へ逃がすためフランジに設けられた貫通孔とを設けるようにする。
【００２１】
これにより、コーン型振動板の中心側近傍位置から生じる音については導出部のイコライザー機能により音声放出手段の外部へ導出し、コーン型振動板の周辺部から生じる音についてはフランジの貫通孔から導出部の外側へ逃し、コーン型振動板の周辺部から生じる音とコーン型振動板の中心側近傍位置から生じる音との干渉を未然に回避して所定周波数帯域における音響出力の減少を防止することができる。
【００２２】
また本発明のスピーカユニット及びスピーカ装置においては、コーン型振動板を有するドライバーユニットと、コーン型振動板における周辺部と対向する位置に設けられコーン型振動板から発生する音の導出を阻止するためのフランジ及びコーン型振動板の中心部と対向する位置に配置された柱状突出部を有するイコライザー部と、柱状突出部を取り囲むように配置され柱状突出部と所定の間隔を保持して振動板から発生する音を外部へ導出する導出部とからなる音声放出手段と、コーン型振動板の前方であって、コーン型振動板の周辺部から発生する音を導出部の外側へ逃がすためフランジに設けられた貫通孔とを設けるようにする。
【００２３】
これにより、コーン型振動板の中心部から生じる音については柱状突出部のイコライザー機能により音声放出手段の外部へ導出し、コーン型振動板の周辺部から生じる音についてはフランジの貫通孔から導出部の外側へ逃し、コーン型振動板の周辺部から生じる音とコーン型振動板の中心部から生じる音との干渉を未然に回避して所定周波数帯域における音響出力の減少を防止することができる。
【発明の効果】
【００２４】
本発明によれば、コーン型振動板の中心側近傍位置から生じる音については導出部のイコライザー機能により音声放出手段の外部へ導出し、コーン型振動板の周辺部から生じる音についてはフランジの貫通孔から導出部の外側へ逃し、コーン型振動板の周辺部から生じる音とコーン型振動板の中心側近傍位置から生じる音との干渉を未然に回避して所定周波数帯域における音響出力の減少を防止することができ、かくして簡易な構造で音響特性の優れたスピーカユニット及びスピーカ装置を実現することができる。
【００２５】
また本発明によれば、コーン型振動板の中心部から生じる音については柱状突出部のイコライザー機能により音声放出手段の外部へ導出し、コーン型振動板の周辺部から生じる音についてはフランジの貫通孔から導出部の外側へ逃し、コーン型振動板の周辺部から生じる音とコーン型振動板の中心部から生じる音との干渉を未然に回避して所定周波数帯域における音響出力の減少を防止することができ、かくして簡易な構造で音響特性の優れたスピーカユニット及びスピーカ装置を実現することができる。
【発明を実施するための最良の形態】
【００２６】
以下、図面について、本発明の一実施の形態を詳述する。
【００２７】
（１）スピーカ装置の全体構成
図３において、５０は全体として本発明におけるスピーカ装置を示し、キャビネット５２を構成する木材の裏板５２Ａと左右の胴板５２Ｂ、５２Ｃとが互いに取り付けられ、その胴板５２Ｂ、５２Ｃに対して例えばポリスチレン等のプラスチック素材でなる介在部材５５が接着されている。
【００２８】
スピーカ装置５０は、その介在部材５５の取付穴５５Ａに対して、ポリスチレン等のプラスチック素材でなるフロントパネル５６のボス５６Ａが勘合された状態で接着されることにより、キャビネット５２の前面にフロントパネル５６が取り付けられることになる。
【００２９】
スピーカ装置５０は、そのフロントパネル５６のほぼ中央にスピーカユニットとして周辺部音逃し貫通孔付きコーン型ホーントゥイータ５１が配置され、その周辺部音逃し貫通孔付きコーン型ホーントゥイータ５１におけるホーン５７の開口部先端と、フロントパネル５６の開口部先端とがネジ５８、５９によって取り付けられた構造を有している。
【００３０】
（２）周辺部音逃し貫通孔付きコーン型ホーントゥイータの構成
図１との対応部分に同一符号を付した図４に示すように、周辺部音逃し貫通孔付きコーン型ホーントゥイータ５１は、大きく分けて、ドライバーユニット２と、ドライバーユニット２から出力された音を効率良く外部へ放出する音声放出部５３とから構成されている。
【００３１】
ドライバーユニット２は、その先端が開口された略円錐形状のコーン型振動板１１を有し、そのコーン型振動板１１のエッジを介してフレーム１２に支持される一方、コーン型振動板１１の内側の開口部分がボイスコイル１３の巻回されたボイスコイルボビン１４に固着されている。
【００３２】
コーン型振動板１１は、外周の開口部分を覆うようにコーン型振動板１１の拡開方向へ半球形状のヘッドキャップ１１Ａが突出した状態で取り付けられ、当該コーン型振動板１１の径方向における変形を防止すると共に塵埃等の侵入を防止するようになされている。
【００３３】
ドライバーユニット２では、フレーム１２の下端側に、コーン型振動板１１を前後に振動させるための磁気回路部１５が固定した状態で取り付けられている。
【００３４】
この磁気回路部１５は、中央から円柱形状のポールピース１６Ａが植立された円盤形状のヨーク１６を有し、当該ヨーク１６の上面外周を取り囲むように円環形状のマグネット１７が固着されると共に、そのマグネット１７上に円環形状のプレート１８が積層して固着されている。
【００３５】
ドライバーユニット２は、このプレート１８の上面とフレーム１２の下面とが固定された結果、磁気回路部１５がフレーム１２に取り付けられると、ボイスコイル１３の巻回されたボイスコイルボビン１４をポールピース１６Ａ及びプレート１８間に形成される磁気ギャップ内に非接触状態で取り囲むように保持する。
【００３６】
またドライバーユニット２は、フレーム１２及びボイスコイルボビン１４に取り付けられたダンパー１９によってコーン型振動板１１の内周側の開口部分が支持されており、これによりフレーム１２に対してコーン型振動板１１が前後方向へ可動した際、磁気ギャップ内におけるボイスコイルボビン１４及びボイスコイル１３の非接触状態を保持し得るようになされている。
【００３７】
かくして周辺部音逃し貫通孔付きコーン型ホーントゥイータ５１のドライバーユニット２では、外部からボイスコイル１３に供給されるオーディオ信号に基づく印加電流により磁気回路部１５の磁気ギャップに電磁力が与えられると、当該ボイスコイル１３がマグネット１７と引き合い又は反発することにより、コーン型振動板１１が前後に振動してオーディオ信号に応じた音波を発生させるようになされている。
【００３８】
これに対して周辺部音逃し貫通孔付きコーン型ホーントゥイータ５１の音声放出部５３では、ドライバーユニット２におけるコーン型振動板１１のエッジにガスケット２０を介して円環形状でなるフランジ状イコライザー２１が取り付けられると共に、当該フランジ状イコライザー２１に対して先端に向けて開口面積が序々に大きくなる管状のホーン５７が接着により取り付けられている。
【００３９】
このホーン５７は、その内空部を音道、先端開口部を開口と呼び、他方、基端部の小さな開口部分をスロートと呼び、効率良く音波を空間に放射するためのものであり、コーン型振動板１１と外部の空間とを結ぶ役目を果たし、電気音響的には空気とのマッチング（整合）を図るために用いられている。
【００４０】
また音声放出部５３は、コーン型振動板１１の外周部と対向する位置にフランジ状イコライザー２１が取り付けられるだけではなく、コーン型振動板１１の中心部に設けられているヘッドキャップ１１Ａとほぼ対向する位置に、ボイスコイルボビン１４の外周形状と略一致した砲弾形状でなる砲弾形状イコライザー３１がフランジ状イコライザー２１に対して例えば３点支持により取り付けられている。
【００４１】
因みに、周辺部音逃し貫通孔付きコーン型ホーントゥイータ５１では、フランジ状イコライザー２１と砲弾形状イコライザー３１との間隔Ｄ１、Ｄ２に応じた開口領域の大きさや、砲弾形状イコライザー３１の形状等の種々の要因によって、最終的にホーン５７から導出される音の音圧周波数特性が決定される。
【００４２】
この砲弾形状イコライザー３１は、高周波数帯域における音の波長が短くなる関係で、コーン型振動板１１の中心部から生じる音と、コーン型振動板１１の周辺部から生じる音との位相が揃わなくなり、そのためお互いに干渉し合って音響出力が減少してしまうところを、コーン型振動板１１における所定の同心円周部から生じる音をホーン５７に伝わるように設けられている。
【００４３】
実際上、周辺部音逃し貫通孔付きコーン型ホーントゥイータ５１は、フランジ状イコライザー２１と砲弾形状イコライザー３１との間隔Ｄ１、Ｄ２に応じた開口領域に対応するコーン型振動板１１の同心円周部から主に生じる音をホーン５７により外部へ導出するようにしたことにより、主に同位相の音を出力し、音響出力が低減することを抑止し得るようになされている。
【００４４】
更に周辺部音逃し貫通孔付きコーン型ホーントゥイータ５１は、フランジ状イコライザー２１における中心側近傍位置に対して、コーン型振動板１１の周辺部に発生する音をホーン５７の外側へ逃すための筒状の所定径でなる周辺部音逃し貫通孔６２がコーン型振動板１１の全周に渡って複数箇所設けられている。
【００４５】
この周辺部音逃し貫通孔６２は、コーン型振動板１１の周辺部に生じる分割振動により、コーン型振動板１１の中心部で発生する音の位相とは大きくずれた位相差の音をホーン５７から導出させることなくホーン５７の外部へ逃すことにより、位相差の生じた音同士が互いに干渉してキャンセルされてしまうことにより所定の周波数帯域（この場合５０００[Hz]）における音圧レベルが大きく減衰することを防止するためのものである。
【００４６】
実際上、周辺部音逃し貫通孔付きコーン型ホーントゥイータ５１では、マイクロフォンによって当該コーン型振動板１１の中心部から生じた音を拾ったときの音圧特性を調べてみると、図５に示すように、５０００[Hz]近傍において音圧レベルの落ち込みが大幅に少なくなっている。
【００４７】
（３）動作及び効果
以上の構成において、周辺部音逃し貫通孔付きコーン型ホーントゥイータ５１は、簡単な形状でなる砲弾形状イコライザー３１を用いると共に、周辺部音逃し貫通孔６２が複数設けられたフランジ状イコライザー２１を用いるようにしたことにより、特許文献１の第２図で示されたような複雑な構成のイコライザーを用いる場合に比べて、砲弾形状イコライザー３１及びフランジ状イコライザー２１の金型成型が容易になる分、製造性を大幅に向上させることが出来る。
【００４８】
また周辺部音逃し貫通孔付きコーン型ホーントゥイータ５１は、フランジ状イコライザー２１における中心側近傍位置に対して、コーン型振動板１１の周辺部に発生する音をホーン５７の外側へ逃すため筒状の所定径でなる周辺部音逃し貫通孔６２を複数箇所設けたことにより、コーン型振動板１１の周辺部に生じる分割振動により、コーン型振動板１１の中心部で発生する音の位相とは大きくずれた位相差のある音をホーン５７の内側から導出させることなく外部へ逃すことができる。
【００４９】
これにより周辺部音逃し貫通孔付きコーン型ホーントゥイータ５１は、コーン型振動板１１の中心部と周辺部とで位相差の生じた音が互いに干渉してキャンセルされてしまうことを未然に回避し、所定の周波数帯域（この場合５０００[Hz]近傍）における音圧レベルが大きく減衰することを確実に防止することができる。
【００５０】
すなわち周辺部音逃し貫通孔付きコーン型ホーントゥイータ５１は、従来のイコライザー付きコーン型ホーントゥイータ１（図１）のように、砲弾形状イコライザー３１を用いて同位相の音だけをホーン８から出力し、フランジ状イコライザー２１によりコーン型振動板１１の周辺部で生じる音のホーン５７からの導出を抑制するという技術的思想ではなく、フランジ状イコライザー２１の周辺部音逃し貫通孔６２を介して、中心部で発生する音の位相とは大きくずれた周辺部の音をホーン５７の積極的に外部へ捨ててしまうことにより、コーン型振動板１１の中心部で発生する同位相の音をホーン５７から出力するという技術的思想である。
【００５１】
このように周辺部音逃し貫通孔付きコーン型ホーントゥイータ５１は、砲弾形状イコライザー３１及びフランジ状イコライザー２１によるイコライザー作用と、フランジ状イコライザー２１の周辺部音逃し貫通孔６２による所定周波数帯域の音圧レベル減衰防止作用とにより、従来のイコライザー付きコーン型ホーントゥイータ１（図１）よりも格段に高音質な音をリスナーに提供することができる。
【００５２】
以上の構成によれば、周辺部音逃し貫通孔付きコーン型ホーントゥイータ５１は、砲弾形状イコライザー３１及びフランジ状イコライザー２１によるイコライザー作用に加えて、フランジ状イコライザー２１の中心側全周に渡って複数形成された周辺部音逃し貫通孔６２を介してコーン型振動板１１の周辺部で発生する音をホーン５７の外部へ逃すことによる所定周波数帯域の音圧レベル減衰防止作用によって、簡易な構造で音響特性を大幅に向上させることができる。
【００５３】
（４）他の実施の形態
なお上述した実施の形態においては、柱状突出部として、図４に示したような砲弾形状イコライザー３１を設けるようにした場合について述べたが、本発明はこれに限らず、円柱形状等のその他種々の柱状に形成されたイコライザーを設けるようにしても良い。
【００５４】
特に、周辺部音逃し貫通孔付きコーン型ホーントゥイータ５１では、フランジ状イコライザー２１と砲弾形状イコライザー３１との間隔Ｄ１、Ｄ２に応じた開口領域の大きさや、砲弾形状イコライザー３１の形状等の種々の要因によって、最終的にホーン５７から導出される音の音圧周波数特性を決定するようになされているため、その音圧周波数特性が変化することを容認できるのであれば、フランジ状イコライザー２１と砲弾形状イコライザー３１との間隔に応じた開口領域の大きさや、砲弾形状イコライザー３１の形状等を若干変更するようにしても良い。
【００５５】
また上述した実施の形態においては、フランジ状イコライザー２１に所定径でなる周辺部音逃し貫通孔６２（図４）を設けるようにした場合について述べたが、本発明はこれに限らず、コーン型振動板１１の周辺部と対向する位置であれば、その径を更に大きくしたり、或いは小さくしたり、若しくは周辺部音逃し貫通孔６２をフランジ状イコライザー２１の中心側近傍位置から更に内側又は外側に若干ずらしても良い。
【００５６】
さらに上述した実施の形態においては、周辺部音逃し貫通孔付きコーン型ホーントゥイータ５１におけるホーン５７の開口部先端と、フロントパネル５６の開口部先端とがネジ６８、６９によって取り付けられた構造のスピーカ装置５０を対象とするようにした場合について述べたが、本発明はこれに限らず、ホーン５７の開口部先端と、フロントパネル６の開口部先端とが一体化された構造のスピーカ装置を対象とするようにしても良い。
【００５７】
さらに上述の実施の形態においては、フランジ状イコライザー２１と管状のホーン５７とが接着により一体に取り付けられた構造の周辺部音逃し貫通孔付きコーン型ホーントゥイータ５１を用いるようにした場合について述べたが、本発明はこれに限らず、フランジ状イコライザー２１と管状のホーン５７とが一体化された構造の周辺部音逃し貫通孔付きコーン型ホーントゥイータ５１を用いるようにしても良い。
【００５８】
さらに上述した実施の形態においては、ドライバーユニットとしてのドライバーユニット２、フランジとしてのフランジ状イコライザー２１及び導出部としてのホーン５７からなる音声放出手段としての音声放出部５３と、貫通孔としての周辺部音逃し貫通孔６２によって、本願発明のスピーカユニットとしての周辺部音逃し貫通孔付きコーン型ホーントゥイータ５１を構成するようにした場合について述べたが、本発明はこれに限らず、その他種々の構成でなるドライバーユニット、フランジ及び導出部からなる音声放出手段、フランジに設けられた貫通孔によって本願発明のスピーカユニット及びスピーカ装置を構成するようにしても良い。
【産業上の利用可能性】
【００５９】
本発明のスピーカユニット及びスピーカ装置は、種々のタイプのスピーカに適用することができる。
【図面の簡単な説明】
【００６０】
【図１】従来のイコライザー付きコーン型ホーントゥイータの断面構造を示す略線的断面図である。
【図２】従来のイコライザー付きコーン型ホーントゥイータの音圧周波数特性を示す略線的特性曲線図である。
【図３】本発明におけるスピーカ装置の全体構成を示す略線的断面図である。
【図４】本発明における周辺部音逃し貫通孔付きコーン型ホーントゥイータの断面構造を示す略線的断面図である。
【図５】周辺部音逃し貫通孔付きコーン型ホーントゥイータの音圧周波数特性を示す略線的特性曲線図である。
【符号の説明】
【００６１】
１……イコライザー付きコーン型ホーントゥイータ、２……ドライバーユニット、３……音声放出部、１１……コーン型振動板、１２……フレーム、１３……ボイスコイル、１４……ボイスコイルボビン、１５……磁気回路部、１６……ヨーク、１７……マグネット、１８……プレート、１９……ダンパー、２１……フランジ状イコライザー、３１……砲弾形状イコライザー、５０、６０……スピーカ装置、５１……筒状イコライザー付きコーン型ホーントゥイータ、５２……キャビネット、５５……介在部材、５６……フロントパネル、５７……ホーン、５８……筒状イコライザー、６１……筒状イコライザー及び周辺部音逃し貫通孔付きコーン型ホーントゥイータ、６２……周辺部音逃し貫通孔、６８、６９……ネジ。
【図１】
2008193417.tif 000003
【図２】
2008193417.tif 000004
【図３】
2008193417.tif 000005
【図４】
2008193417.tif 000006
【図５】
2008193417.tif 000007